(57)【特許請求の範囲】
【請求項１】
本体枠に回動可能に軸支された前面枠を有し、該前面枠に、複数種類の図柄の可変表示を視認可能とする表示窓部を備える遊技機において、
前記前面枠は、
当該前面枠の上半部を構成するとともに、前記表示窓部を有する前面枠上部構成体と、
当該前面枠の下半部を構成するとともに、遊技媒体を貯留可能な受皿を有する前面枠下部構成体と、
前記前面枠上部構成体と前記前面枠下部構成体とを相互に結合する結合手段と、
を備えるとともに、
当該前面枠の前面側を装飾する装飾部材を着脱自在に構成し、
前記結合手段は、
前記前面枠の一方の側部に取り付けられて、前記前面枠を閉止した状態に維持可能とさせる施錠装置と、
前記前面枠の他方の側部に取り付けられて、前記本体枠に対して前記前面枠を回動自在に支持する蝶番装置と、
を備えた構成とし、
前記施錠装置は、
前記前面枠の裏面側に取り付けられた取付基板と、
前記取付基板から前方に向けて突出した状態で設けられた鍵部と、
を有する構成とし、
前記前面枠上部構成体と前記前面枠下部構成体とを前後方向に重ね合わせる重合部を設け、該重合部に設けた挿通口に前記施錠装置の鍵部を挿通させ、
前記施錠装置と前記蝶番装置を前記前面枠上部構成体と前記前面枠下部構成体とにそれぞれ跨るように取り付けて、
前記前面枠上部構成体と前記前面枠下部構成体とを相互に結合させ、
前記施錠装置及び前記蝶番装置には、前記装飾部材を前記前面枠に止着する止着部材を前記前面枠の裏面側に露出させるための開口部或いは切欠部を設けたことを特徴とする遊技機。
【発明の詳細な説明】
【技術分野】
【０００１】
本発明は、本体枠に回動可能に軸支された前面枠を有し、該前面枠に、複数種類の図柄の可変表示を視認可能とする表示窓部を備える遊技機に関する。
【背景技術】
【０００２】
一般に、パチスロ遊技機等の遊技機には、本体枠に対して回動自在な状態で前面枠が取り付けられている。前面枠には、表示窓部を有する表示パネルや化粧パネルなどが取り付けられ、表示パネルの背部（本体枠側）には、外周面に複数種類の図柄が表記された複数のリールが回転自在な状態で配置されている。各リールは、コイン等の遊技媒体を賭けた状態でスタートレバーが押圧されて所定時間経過するか、或いは対応するストップボタンの押圧により順次停止するようになっており、例えば、各リールが停止した状態において、表示窓部を通して視認可能な可変表示領域における表示結果が、予め設定された有効ライン上において特定の図柄の組合せ態様となった場合には、該組合せ態様に応じて所要数の遊技媒体が遊技者に対して付与されるようになっている。
【０００３】
ところで、上記遊技機では、遊技者側から見える部分のほとんどが前面枠となっていることから、例えば、前面枠のデザイン次第で、遊技機全体のイメージが変化するようになっている。
【発明の開示】
【発明が解決しようとする課題】
【０００４】
しかしながら、上記従来の遊技機では、例えば、新機種等の開発にあたって、前面枠のデザインを変更しようとする場合に、次のような問題点があった。例えば、リールの図柄やパネル（表示パネル、化粧パネル）類を交換することによって、前面枠のデザインを部分的に変更することが可能であるが、リールの図柄やパネル類を交換するだけでは、遊技者に対して新機種であるという感じを与え難く、新鮮味に欠けるという問題点があった。そこで、前面枠を新規に開発して前面枠全体のデザインを変更することも考えられるが、その場合には、前面枠が大きな部材である（つまり、成形が容易ではない）こともあり、開発に多大なコストと期間を要するという問題点があった。
【０００５】
この発明は、上記のような問題点を解決するためになされたもので、前面枠のデザイン変更が容易な遊技機を提供することを目的とする。
【課題を解決するための手段】
【０００６】
上記課題を解決するため、
請求項１に記載の発明は、
本体枠に回動可能に軸支された前面枠を有し、該前面枠に、複数種類の図柄の可変表示を視認可能とする表示窓部を備える遊技機において、
前記前面枠は、
当該前面枠の上半部を構成するとともに、前記表示窓部を有する前面枠上部構成体と、
当該前面枠の下半部を構成するとともに、遊技媒体を貯留可能な受皿を有する前面枠下部構成体と、
前記前面枠上部構成体と前記前面枠下部構成体とを相互に結合する結合手段と、
を備えるとともに、
当該前面枠の前面側を装飾する装飾部材を着脱自在に構成し、
前記結合手段は、
前記前面枠の一方の側部に取り付けられて、前記前面枠を閉止した状態に維持可能とさせる施錠装置と、
前記前面枠の他方の側部に取り付けられて、前記本体枠に対して前記前面枠を回動自在に支持する蝶番装置と、
を備えた構成とし、
前記施錠装置は、
前記前面枠の裏面側に取り付けられた取付基板と、
前記取付基板から前方に向けて突出した状態で設けられた鍵部と、
を有する構成とし、
前記前面枠上部構成体と前記前面枠下部構成体とを前後方向に重ね合わせる重合部を設け、該重合部に設けた挿通口に前記施錠装置の鍵部を挿通させ、
前記施錠装置と前記蝶番装置を前記前面枠上部構成体と前記前面枠下部構成体とにそれぞれ跨るように取り付けて、
前記前面枠上部構成体と前記前面枠下部構成体とを相互に結合させ、
前記施錠装置及び前記蝶番装置には、前記装飾部材を前記前面枠に止着する止着部材を前記前面枠の裏面側に露出させるための開口部或いは切欠部を設けた構成とした。
【０００７】
ここで、遊技機には、例えば、パチスロ遊技機或いはスロットマシーンなど、遊技媒体にコインを用いる遊技機が含まれる他、例えば、パチンコ遊技機、アレンジボール遊技機、雀球遊技機など、遊技媒体に球を用いる弾球遊技機も含まれる。なお、結合手段としては、前面枠上部構成体と前面枠下部構成体とを相対的に動かないようにして結合する結合手段であることが望ましい。
【発明の効果】
【０００８】
請求項１記載の発明によれば、前面枠上部構成体と、前面枠下部構成体と、これら構成体を相互に結合する結合手段とにより前面枠を構成したので、前面枠の上半部や下半部のみの交換・変更が可能となる。従って、従来と比べ、前面枠のデザイン変更の自由度が高くなり、前面枠のデザイン変更が容易となる。また、結合手段は、前面枠の一方の側部に取り付けられて、前記前面枠を閉止した状態に維持可能とさせる施錠装置と、前記前面枠の他方の側部に取り付けられて、本体枠に対して前記前面枠を回動自在に支持する蝶番装置と、を備えた構成とし、前記施錠装置は、前記前面枠の裏面側に取り付けられた取付基板と、該取付基板から前方に向けて突出した状態で設けられた鍵部と、を有する構成とし、前面枠上部構成体と前面枠下部構成体とを前後方向に重ね合わせる重合部を設け、該重合部に設けた挿通口に前記施錠装置の鍵部を挿通させ、前記施錠装置と前記蝶番装置を前記前面枠上部構成体と前記前面枠下部構成体とにそれぞれ跨るように取り付けて、前記前面枠上部構成体と前記前面枠下部構成体とを相互に結合させたので、前面枠上部構成体と前面枠下部構成体との結合位置のズレをなくすことができ、前面枠上部構成体と前面枠下部構成体との結合強度を向上させることができる。また、装飾部材を前面枠に止着する止着部材を前面枠の裏面側に露出させる開口部或いは切欠部を施錠装置及び蝶番装置に設けたので、施錠装置及び蝶番装置を取り付けた状態においても、前面枠の裏面側から装飾部材を取り外すことができる。従って、装飾部材を取り外すのが容易となる。
【発明を実施するための最良の形態】
【０００９】
以下、この発明の実施の形態について、図１〜図５の図面を参照しながら説明する。図１は、本発明に係る遊技機の一形態として例示するパチスロ遊技機を示す正面図である。図２は、図１のパチスロ遊技機の前面枠を開放した状態を示す斜視図である。図３は、前面枠の背面図である。
【００１０】
この実施の形態のパチスロ遊技機１００は、図１〜図３に示すように、前側に開口部１Ａを有する本体枠１と、各種パネル（表示パネル３、化粧パネル１９）が取り付けられた前面枠２と、前面枠２を開口部１Ａの一側で回動自在に支持する蝶番装置３０（第２結合部）と、前面枠２を閉止状態で維持可能な施錠装置４０（第１結合部）と、を備えて構成されている。
【００１１】
前面枠２の上半部には、図１に示すように、そのほぼ中央に表示パネル３が取り付けられている。表示パネル３の背部には、図２に示すように、３個のリール４ａ、４ｂ、４ｃが回転自在な状態で配置されており、表示パネル３のほぼ中央には、図１及び図２に示すように、各リール４ａ、４ｂ、４ｃの外周面に表記されている図柄を３個ずつ視認可能とする透明なリール表示窓部４（表示窓部）が設けられている。各リール４ａ、４ｂ、４ｃは、コインを賭けた（ベットした）状態でスタートレバー６（後述）が押圧されて所定時間経過するか、或いは対応するストップボタン７ａ、７ｂ、７ｃ（後述）の押圧により順次停止するようになっており、各リール４ａ、４ｂ、４ｃが停止した状態において、リール表示窓部４を通して視認可能な可変表示領域における表示結果が予め設定された有効ライン（コインのベット数に応じて有効化された図柄の組合せライン）上において特定の図柄の組合せ態様となった場合には、その組合せ態様に応じて所要数のコインが遊技者に対して付与される（払出装置２０よりコインが払い出されるか、或いはクレジットとして記憶される）ようになっている。
【００１２】
表示パネル３の上部には、図１に示すように、上記可変表示領域における可変表示に関連して所定の演出表示を行う演出表示部５が設けられている。一方、表示パネル３の下部には、コインの払出枚数を表示する払出枚数表示部８、遊技の進行に関する表示を行う遊技進行表示部１１、コインのクレジット枚数を表示するクレジット枚数表示部１２等が設けられている。表示パネル３の右側には、遊技状態に関する表示を行う遊技状態表示部２６が設けられ、表示パネル３の左側には、コインのベット枚数を表示するベット枚数表示部２５が設けられている。表示パネル３の周囲には、表示パネル３を囲うようにして装飾部材６５，６５、６６が装着され、装飾部材６６の背部には、装飾部材６６の発光源となる装飾用ＬＥＤを実装した装飾用ＬＥＤ基板７２、７３や、スピーカ７７，７７（図５）などが配設されている。
【００１３】
前面枠２ほぼ中央の傾斜面２２には、ベットするコインを投入するコイン投入口１５、コインのベット枚数（賭け枚数）を押圧回数によって設定可能な１ベットボタン１０、コインのベット枚数を限度枚数（例えば、３枚）に設定可能なマックスベットボタン９が配設されている。即ち、コイン投入口１５より所要数のコインを投入した状態或いは所要数のコインがクレジットされている状態で、１ベットボタン１０或いはマックスベットボタン９を押圧することで、コインのベット枚数を設定することができ、このベット枚数に応じて有効ラインのパターンを設定することができる。
【００１４】
前面枠２の下半部には、矩形状の化粧パネル１９が設けられ、この化粧パネル１９の上方には、クレジットされたコインを返却するためのコイン返却スイッチ１８、前記可変表示領域における可変表示を開始する（つまり、各リール４ａ、４ｂ、４ｃの回転を開始する）ためのスタートレバー６、各々のリール４ａ、４ｂ、４ｃの回転を停止させるためのストップボタン７ａ、７ｂ、７ｃ、施錠装置４０（図２）を構成する鍵部１７（後述）の鍵穴１７ａ、返却機構１６（後述）を作動させる返却ボタン１６ａ等が設けられている。化粧パネル１９の左右両側部には、装飾部材６３，６３が装着され、これら装飾部材６３，６３の背部には、装飾部材６９，６９の発光源となる装飾用ＬＥＤを実装した装飾用ＬＥＤ基板６９，６９（図４）が配設されている。また、化粧パネル１９の下方には、本体枠１に設置された払出装置２０（図２）より払い出されたコインを貯留可能な受皿２３や、灰皿２１などが設けられている。
【００１５】
前面枠２の背部には、図２及び図３に示すように、コイン投入口１５より投入されたコインの詰まりを解消してコインを受皿２３へと返却するための返却機構１６が設置され、この返却機構１６の下方には、返却機構１６より排出されたコインや払出装置２０から払い出されたコインを受皿２３へと流下案内する誘導樋２４が設けられている。
【００１６】
本体枠１は、図２に示すように、前側に開口部１Ａを有する中空状の箱形枠体であって、その中空部内には、前述したリール４ａ、４ｂ、４ｃを有する可変表示装置１４や、払出装置２０などが配設されている。
【００１７】
蝶番装置３０は、図２に示すように、本体枠１に取り付けられた本体枠側取付部材３２と、前面枠２に取り付けられた前面枠側取付部材３１と、本体枠側取付部材３２と前面枠側取付部材３１とを相互に回動自在に結合する一対の蝶番本体３３，３３と、を備えて構成されている。
【００１８】
施錠装置４０は、図２に示すように、前面枠２の一方の側部（前面枠側取付部材３１と反対側の側部）に取り付けられた取付基板４１と、該取付基板４１に沿って上下に摺動自在な摺動板４２と、該摺動板４２に取り付けられ前面枠２を閉止した状態において本体枠１の係止板（図示省略）と係合可能な一対の爪部４３，４３と、摺動板４２に対し下方向の付勢力を付与することで爪部４３，４３と係止板との係合状態を保持可能な付勢手段（図示省略）と、摺動板４２の下方向への移動を規制するストッパ（図示省略）と、鍵穴１７ａを有し該鍵穴１７ａに差し込まれた鍵の回動により摺動板４２を上方向に移動させて爪部４３，４３と係止板との係合状態を解除可能な鍵部１７と、本体枠１に取り付けられ前面枠２を閉止した状態において爪部４３，４３と係合可能な係止板（図示省略）と、を備えて構成されている。
【００１９】
即ち、前面枠２が閉止状態にあるときには、前面枠２側の爪部４３と本体枠１側の係止板とが係合し、該係合状態が付勢手段による付勢によって保持された状態となっている。つまり、このとき前面枠２は開放不能な状態となっている。この状態から、鍵部１７の鍵穴１７ａに鍵を差し込み、鍵を右方向に回動すると、該回動に伴い、摺動板４２が上方向に移動して、爪部４３が各係止板より離脱する。これにより、爪部４３と係止板との係合が解除され、前面枠２が開放可能な状態となる。また、例えば、前面枠２を閉止するときには、前面枠２を閉止する過程で、爪部４３の傾斜部４３ａが係止板に接触して摺動板４２を押し上げながら進んだ後、爪部４３の凹部４３ｂが係止板と出会い、その出会った時点で、付勢手段の付勢力により摺動板４２が下方向に移動して爪部４３の凹部４３ｂに係止板が入り込む。これにより、爪部４３と係止板とが係合した状態となり、前面枠２が開放不能な状態に復帰する。
【００２０】
図４は前面枠の分解斜視図、図５は前面枠上部構成体の分解斜視図である。
【００２１】
前面枠２は、前面枠２の上半部を構成する前面枠上部構成体２Ａと、前面枠２の下半部を構成する前面枠下部構成体２Ｂと、これら構成体２Ａ、２Ｂを相互に結合する結合手段と、を備えて構成されている。
【００２２】
前面枠上部構成体２Ａは、図５に示すように、上部ベース部材６０Ａに、表示パネル３、装飾部材６５、６６、装飾用ＬＥＤ基板７１、７２、７３、表示用ＬＥＤ基板７４、７５、７６、スピーカ７７、演出表示ユニット７０等を組み付けて概略構成されている。
【００２３】
即ち、上部ベース部材６０Ａの前面側には、表示パネル３を設置するための凹状のパネル設置部３ａが設けられ、パネル設置部３ａの上方には、装飾部材６６の発光源となる装飾用ＬＥＤ基板７２，７２、７３を設置するための開口部７２ａ，７２ａ、７３ａ、スピーカ７７，７７を設置するための開口部７７ａ，７７ａ、装飾部材６６の発光源となる装飾用ＬＥＤ基板７１，７１を取り付けるための取付支柱７１ａ，…等が設けられている。また、パネル設置部３ａには、前述したリール表示窓部４と対応する位置に矩形状の開口部４ｄが設けられている。さらに、払出枚数表示部８、遊技進行表示部１１、クレジット枚数表示部１２、ベット枚数表示部２５、遊技状態表示部２６などの各表示部と対応する位置には、各表示部を構成する表示用ＬＥＤ７４ｂ、７５ｂ、７６ｂを遊技機前面側から視認可能とさせる開口部７４ａ、７５ａ、７６ａがそれぞれ設けられている。また、パネル設置部３ａの上部には、演出表示ユニット７０を設置するための開口部４ｅが設けられている。演出表示ユニット７０の前面側には、前述した演出表示部５を構成する表示器５ａや、表示パネル３の発光源となる装飾用ＬＥＤ基板５ｂ，…などが配設され、演出表示ユニット７０の裏面側には、制御装置（図示省略）と各種電気部品（例えば、装飾用ＬＥＤ基板７１、７２，７２、７３、表示用ＬＥＤ基板７４、７５、７６、スピーカ７７など）とを中継する中継基板７８が配設されている。
【００２４】
そして、パネル設置部３ａには表示パネル３が、取付支柱７１ａ，…には装飾用ＬＥＤ基板７１，７１が、それぞれ取り付けられている。また、開口部７２ａ，７２ａ、７３ａには装飾用ＬＥＤ基板７２，７２、７３が、開口部７７ａ，７７ａにはスピーカ７７，７７が、各々の開口部を介して前方を臨む状態でそれぞれ取り付けられている。また、前述した各表示部と対応する位置には、表示用ＬＥＤ７４ｂ、７５ｂ、７６ｂが開口部７４ａ、７５ａ、７６ａを介して前方を臨む状態で、表示用ＬＥＤ基板７４、７５、７６がそれぞれ取り付けられている。また、パネル設置部３ａの周囲（上部、側部）には、上部ベース部材６０Ａの前面側を覆うようにして、装飾部材６６、６５，６５（図４）が取り付けられている。
【００２５】
前面枠下部構成体２Ｂは、図４に示すように、裏面側に誘導樋２４（図３）を形成した下部ベース部材６０Ｂに、化粧パネル１９、装飾部材６３，６３、受皿ユニット２３Ａ、返却機構１６等を組み付けて概略構成されている。
【００２６】
即ち、下部ベース部材６０Ｂの上部には、取付基板６４を介して、前述した、１ベットボタン１０、マックスベットボタン９、コイン投入口１５、スタートレバー６、ストップボタン７ａ、７ｂ、７ｃが組み付けられている。また、下部ベース部材６０Ｂの前面側中央には、化粧パネル１９が着脱自在に取り付けられている。この化粧パネル１９の左右両側部には、装飾部材６３，６３の発光源となる装飾用ＬＥＤ基板６９，６９が設置され、これら装飾用ＬＥＤ基板６９，６９の前方には、上下のベース部材６０Ａ、６０Ｂに跨るようにして、透光性を有する装飾部材６３，６３が取り付けられている。下部ベース部材６０Ｂの前面側下部には、金属プレート２３Ｂが取り付けられ、この金属プレート２３Ｂの前面側には、受皿２３を構成する受皿ユニット２３Ａが取り付けられている。
【００２７】
結合手段は、前面枠２の一方の側部において前面枠上部構成体２Ａと前面枠下部構成体２Ｂとを上下に結合する第１結合部と、前面枠２の他方の側部において前面枠上部構成体２Ａと前面枠下部構成体２Ｂとを上下に結合する第２結合部と、により構成されている。この実施の形態では、施錠装置４０により上記第１結合部が構成され、蝶番装置３０により上記第２結合部が構成されている。即ち、図４に示すように、施錠装置４０の取付基板４１が、前面枠２の一方の側部（遊技者側から見て右側部）において上部ベース部材６０Ａと下部ベース部材６０Ｂとの双方に跨るようにして取り付けられ、蝶番装置３０の前面枠側取付部材３１が、前面枠２の他方の側部（遊技者側から見て左側部）において上部ベース部材６０Ａと下部ベース部材６０Ｂとの双方に跨るようにして取り付けられている。前面枠側取付部材３１と取付基板４１は、図３及び図４に示すように、何れも上部ベース部材６０Ａの上部から下部ベース部材６０Ｂの下部までに至る長尺な金属製の板状部材とされる。前面枠側取付部材３１、取付基板４１、及びそれら部材の上端部を相互に連結する連結基板３４（図５）の各々には、図３に示すように、装飾部材６５、６６や受皿ユニット２３Ａを前面枠２に止着する止着部材（図示省略）を露出させて前面枠２の裏面側より止着部材を取り外し可能とさせる開口部（止着部材挿通孔）３１ａ、４１ａ、３４ａが設けられている。また、前面枠上部構成体２Ａと前面枠下部構成体２Ｂとが前後方向に重なり合う重合部には、図４に示すように、取付基板４１から前方に向けて突出した状態に設けられた柱状の鍵部１７を挿通させる挿通口１７ｂ、１７ｃが各構成体２Ａ、２Ｂに設けられ、鍵部１７が前面枠２を前後方向に貫通した状態で配置されている。
【００２８】
以上のように、この実施の形態のパチスロ遊技機１００によれば、前面枠上部構成体２Ａと、前面枠下部構成体２Ｂと、これら構成体２Ａ、２Ｂを相互に結合する結合手段とにより前面枠２を構成したので、前面枠２の上半部や下半部のみの交換・変更が可能となる。従って、従来と比べ、前面枠２のデザイン変更の自由度が高くなり、前面枠２のデザイン変更が容易となる。そして、上記結合手段を、前面枠２の一方の側部において前面枠上部構成体２Ａと前面枠下部構成体２Ｂとを上下に結合する第１結合部（施錠装置４０）と、前面枠２の他方の側部において前面枠上部構成体２Ａと前面枠下部構成体２Ｂとを上下に結合する第２結合部（蝶番装置３０）と、により構成したので、前面枠上部構成体２Ａと前面枠下部構成体２Ｂとを確実かつ正確に結合できる。また、上記第１結合部を施錠装置４０により構成し、上記第２結合部を蝶番装置３０により構成したので、第１結合部や第２結合部を別個に設ける必要がなくなる。
【００２９】
また、前面枠側取付部材３１と取付基板４１が、何れも上部ベース部材６０Ａの上部から下部ベース部材６０Ｂの下部までに至る長尺な金属製の板状部材とされ、しかも前面枠側取付部材３１と取付基板４１とが金属製の連結基板３４により相互に連結されているので、前面枠上部構成体２Ａと前面枠下部構成体２Ｂとの結合状態がより一層強固なものとなる。また、前面枠２の厚み方向の強度を向上させることもできる。また、装飾部材６５、６６や受皿ユニット２３Ａを前面枠２に止着する止着部材を前面枠２の裏面側に露出させる開口部３１ａ、４１ａ、３４ａを、前面枠側取付部材３１、取付基板４１、及び連結基板３４に設けたので、前面枠側取付部材３１、取付基板４１及び連結基板３４を取り付けた状態においても、前面枠２の裏面側から装飾部材６５、６６や受皿ユニット２３Ａを取り外すことができる。従って、装飾部材６５、６６や受皿ユニット２３Ａを取り外すのが容易となる。また、前面枠上部構成体２Ａと前面枠下部構成体２Ｂとが前後方向に重なり合う重合部において、鍵部１７が貫通状態で設けられているので、前面枠上部構成体２Ａと前面枠下部構成体２Ｂとの結合位置のズレをなくすことができ、前面枠上部構成体２Ａと前面枠下部構成体２Ｂとの結合強度をさらに向上させることができる。
【００３０】
また、この実施の形態では、上下のベース部材６０Ａ、６０Ｂに跨るようにして装飾部材６３，６３を取り付け、該装飾部材６３，６３によって、前面枠上部構成体２Ａと前面枠下部構成体２Ｂとの境界の一部を覆い隠すようにしたので、前面枠上部構成体２Ａと前面枠下部構成体２Ｂとが一体であるが如き印象を遊技者に対して与えることができる。また、この実施の形態では、前面枠上部構成体２Ａと前面枠下部構成体２Ｂとを前記結合手段により結合して前面枠２を構成したので、各構成体２Ａ、２Ｂ各々の強度は、前面枠上部構成体と前面枠下部構成体とを一体構成してなる前面枠と比べて高くなる。従って、この実施の形態で示したように、前面枠２の両側部において構成体２Ａ、２Ｂを上下に結合するだけでも、前面枠２として十分な強度を得ることができる。
【００３１】
なお、本発明はこの実施の形態のパチスロ遊技機１００に限られるものではなく、例えば、その他のパチスロ遊技機やスロットマシーン、或いはパチンコ遊技機、アレンジボール遊技機、雀球遊技機などの弾球遊技機にも適用可能である。また、この実施の形態では、前面枠２の一方の側部において構成体２Ａ、２Ｂを上下に結合する第１結合部（施錠装置４０）と、前面枠２の他方の側部において構成体２Ａ、２Ｂを上下に結合する第２結合部（蝶番装置３０）とにより結合手段を構成したが、これに限られるものではなく、例えば、前面枠２の周縁に沿った形状（略ロ字状）の枠体などによって、結合手段を構成することも可能である。また、この実施の形態では、施錠装置４０により第１結合部を構成し、蝶番装置３０により第２結合部を構成したが、例えば、施錠装置４０や蝶番装置３０とは別個に、前面枠２の左右両側部の各々において構成体２Ａ、２Ｂを上下に結合する結合部を設けるようにしてもよい。また、この実施の形態では、前面枠上部構成体２Ａと、前面枠下部構成体２Ｂと、これら構成体２Ａ、２Ｂを相互に結合する結合手段とにより前面枠２を構成したが、例えば、前面枠２を構成する構成体（結合手段を除く）の数を３以上とすることも可能である。また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３２】
【図１】本発明に係る遊技機の一形態として例示するパチスロ遊技機を示す正面図である。
【図２】図１のパチスロ遊技機の前面枠を開放した状態を示す斜視図である。
【図３】図２の前面枠の背面図である。
【図４】図２の前面枠の分解斜視図である。
【図５】図４の前面枠上部構成体の分解斜視図である。
【符号の説明】
【００３３】
１  本体枠
２  前面枠
２Ａ  前面枠上部構成体
２Ｂ  前面枠下部構成体
４  リール表示窓部（表示窓部）
１７  鍵部
１７ａ  鍵穴
１７ｂ、１７ｃ  挿通口
２３  受皿
３０  蝶番装置（第２結合部、結合手段）
３１  前面枠側取付部材
３１ａ、３４ａ、４１ａ  開口部
４０  施錠装置（第１結合部、結合手段）
４１  取付基板
６０Ａ  上部ベース部材
６０Ｂ  下部ベース部材
６３、６５、６６  装飾部材
１００  パチスロ遊技機（遊技機）
【図１】
0004464431.tif 000002
【図２】
0004464431.tif 000003
【図３】
0004464431.tif 000004
【図４】
0004464431.tif 000005
【図５】
0004464431.tif 000006